(57)【要約】【課題】  簡易な構成で、容易にプラスチックス製の品物を粉砕し洗浄して、再度プラスチックス製の品物を製造することをできるプラスチックスの洗浄装置と処理装置と品物製造方法を提供しようとする。【解決手段】  従来のプラスチックス製のフレーク状破砕片を洗浄する洗浄装置にかわって、洗浄液を貯留可能な処理槽と、フレーク状破砕片を収納することのできる収納空間を囲い所定の大きさの多数の貫通穴が設けられた面材を有する容器と、前記処理槽に貯留した洗浄液に水流を発生させる水流発生装置と、を備え、前記収納空間に収納されたフレーク状破砕片を前記処理槽に貯留した洗浄液に浸すことをできる、ものとした。【選択図】    図１
2006015585.tif 000002
【特許請求の範囲】
【請求項１】
プラスチックス製のフレーク状破砕片を洗浄する洗浄装置であって、
洗浄液を貯留可能な処理槽と、
フレーク状破砕片を収納することのできる収納空間を囲い所定の大きさの多数の貫通穴が設けられた面材を有する容器と、
前記処理槽に貯留した洗浄液に水流を発生させる水流発生装置と、
を備え、
前記収納空間に収納されたフレーク状破砕片を前記処理槽に貯留した洗浄液に浸たすことをできる、
ことを特徴とする洗浄装置。
【請求項２】
前記面材が前記収納空間の底部を形成する底板と前記収納空間の側部を形成する側板とを持つ、
ことを特徴とする請求項１に記載の洗浄装置。
【請求項３】
前記面材が前記収納空間を下から囲い所定の大きさの網目をもった網地を持つ、
ことを特徴とする請求項１に記載の洗浄装置。
【請求項４】
前記水流発生装置が処理槽に貯留した洗浄液に気泡を噴出する気泡噴出機構を有する、
ことを特徴とする請求項１に記載の洗浄装置。
【請求項５】
プラスチックス製の品物を粉砕処理する処理装置であって、
プラスチックス製の品物を投入する投入口と前記品物をフレーク状破砕片に破砕する破砕機構と該フレーク状破砕片を排出する排出口とを有する破砕装置と、
前記フレーク状破砕片を洗浄液で洗浄して混ざっている粉分を除去する洗浄装置と、
を備え、
前記排出口から排出するフレーク状破砕片が前記洗浄装置に投入される、
ことを特徴とする処理装置。
【請求項６】
前記洗浄装置が洗浄液を貯留可能な処理槽とフレーク状破砕片を収納することのできる収納空間を囲い所定の大きさの多数の貫通穴が設けられた面材を持つ容器と前記処理槽に貯留した洗浄液に水流を発生させる水流発生装置とを有し、前記収納空間に入れたフレーク状破砕片を前記処理槽に貯留した洗浄液に浸たすことをできる、
ことを特徴とする請求項５に記載の処理装置。
【請求項７】
プラスチックス製の品物を製造する品物製造方法であって、
プラスチックス製の品物をフレーク状破砕片に破砕する破砕工程と、
前記フレーク状破砕片を洗浄液で洗浄して混ざっている粉分を除去する洗浄工程と、
前記粉分を除去した前記フレーク状破砕片を射出成型機に投入して品物を成型する射出成型工程と、
を備えることを特徴とする品物製造方法。
【請求項８】
前記洗浄工程において、
洗浄液を貯留可能な処理槽とフレーク状破砕片を収納することのできる収納空間を囲い所定の大きさの多数の貫通穴が設けられた面材を持つ容器とを用意し、前記収納空間に入れたフレーク状破砕片を前記処理槽に貯留した洗浄液に浸たし、前記処理槽に貯留した洗浄液に水流を発生させ、前記容器にフレーク状破砕片を投入する、
ことを特徴とする請求項７に記載の品物製造方法。
【請求項９】
プラスチックスがポリエチレンテレフタレート樹脂であって、
フレーク状破砕片の最大寸法が４ｍｍ乃至１０ｍｍであって、
前記所定の大きさの最大寸法が１ｍｍ乃至３ｍｍである。
ことを特徴とする請求項８に記載の品物製造方法。
【発明の詳細な説明】
【技術分野】
【０００１】
本発明は、プラスチックス製のフレーク状破砕片を洗浄する洗浄装置とプラスチックス製の品物を粉砕処理する処理装置とプラスチックス製の品物を製造する品物製造方法とに係る。特に、プラスチックスがポリエチレンテレフタレート樹脂である場合に好適なプラスチックスの洗浄装置と処理装置と品物製造方法とに関する。
【背景技術】
【０００２】
従来のプラスチックス製の品物（例えば、ハンガー）は、例えば、ポリスチレンやポリプロピレン製である。これらのプラスチックス製の品物が汚れたり、損傷したり、不用となった場合は、ゴミとして処分されていた。
一方、使用済みのペットボトルは、ごみの原料問題等からその再利用について真剣に検討されるようになっている。
【０００３】
【特許文献１】特開２００１−２０４６１３号
【特許文献２】特開２００２−３０７４３６号
【特許文献３】特開２００１−０７９９１７号
【発明の開示】
【発明が解決しようとする課題】
【０００４】
本発明は以上に述べた問題点に鑑み案出されたもので、簡易な構成で、容易にプラスチックス製の品物を粉砕し洗浄して、再度プラスチックス製の品物を製造することをできるプラスチックスの洗浄装置と処理装置と品物製造方法を提供しようとする。
【課題を解決するための手段】
【０００５】
上記目的を達成するため、本発明に係るプラスチックス製のフレーク状破砕片を洗浄する洗浄装置を、洗浄液を貯留可能な処理槽と、フレーク状破砕片を収納することのできる収納空間を囲い所定の大きさの多数の貫通穴が設けられた面材を有する容器と、前記処理槽に貯留した洗浄液に水流を発生させる水流発生装置と、を備え、前記収納空間に収納されたフレーク状破砕片を前記処理槽に貯留した洗浄液に浸すことをできる、ものとした。
【０００６】
上記本発明の構成により、処理槽が洗浄液を貯留可能であり、容器の所定の大きさの多数の貫通穴が設けられた面材がフレーク状破砕片を収納することのできる収納空間を囲い、水流発生装置が前記処理槽に貯留した洗浄液に水流を発生させ、前記収納空間に収納されたフレーク状破砕片を前記処理槽に貯留した洗浄液に浸すことをできるので、容器にフレーク状破砕片を入れると、フレーク状破砕片が洗浄液の水流に当って、フレーク状破砕片に付着した付着物が面材に設けられた多数の貫通穴から排出されて、フレーク状破砕片を洗浄することができる。
【０００７】
さらに、本発明の実施形態に係る洗浄装置は、前記面材が前記収納空間の底部を形成する底板と前記収納空間の側部を形成する側板とを持つ。
上記本発明の構成により、前記底板が前記収納空間の底部を形成し、前記側板が前記収納空間の側部を形成するので、水流に沿って、洗浄液が、床板または側板の貫通穴を通って収納空間に入り、底板または側板の貫通穴を通って収納空間からでて、付着物をフレーク状破砕片から剥がして収納空間から排出できる。
【０００８】
さらに、本発明の実施形態に係る洗浄装置は、前記面材が前記収納空間を下から囲い所定の大きさの網目をもった網地を持つ。
上記本発明の構成により、所定の大きさの網目をもった網地が前記収納空間を下から囲うので、水流に沿って洗浄液が、網目を通って収納空間に入り、網目を通って収納空間からでて、網地を揺すって付着物をフレーク状破砕片から容易に剥がして収納空間から排出できる。
【０００９】
さらに、本発明の実施形態に係る洗浄装置は、前記水流発生装置が処理槽に貯留した洗浄液に気泡を噴出する気泡噴出機構を有する。
上記本発明の構成により、前記気泡噴出機構が処理槽に貯留した洗浄液に気泡を噴出して気泡の浮上により水流を発生させるので、付着物をフレーク状破砕片から容易に剥がすことができる。
【００１０】
上記目的を達成するため、本発明に係るプラスチックス製の品物を粉砕処理する処理装置を、プラスチックス製の品物を投入する投入口と前記品物をフレーク状破砕片に破砕する破砕機構と該フレーク状破砕片を排出する排出口とを有する破砕装置と、前記フレーク状破砕片を洗浄液で洗浄して混ざっている粉分を除去する洗浄装置と、を備え、前記排出口から排出するフレーク状破砕片が前記洗浄装置に投入される、ものとした。
【００１１】
上記本発明の構成により、投入口にプラスチックス製の品物を投入でき、破砕機構が前記品物をフレーク状破砕片に破砕し、排出口から該フレーク状破砕片を排出でき、前記排出口から排出するフレーク状破砕片が前記洗浄装置に投入され、洗浄装置が前記フレーク状破砕片を洗浄液で洗浄して混ざっている粉分を除去するので、投入口にプラスチックス製の品物を投入すると、品物が破砕されてフレーク状破砕片になり、フレーク状破砕片が排出口から洗浄装置に入り、洗浄装置で洗浄されて粉分を除去できる。
【００１２】
さらに、本発明の実施形態に係る処理装置は、前記洗浄装置が洗浄液を貯留可能な処理槽とフレーク状破砕片を収納することのできる収納空間を囲い所定の大きさの多数の貫通穴が設けられた面材を持つ容器と前記処理槽に貯留した洗浄液に水流を発生させる水流発生装置とを有し、前記収納空間に入れたフレーク状破砕片を前記処理槽に貯留した洗浄液に浸すことをできる。
上記本発明の構成により、処理槽が洗浄液を貯留可能であり、容器の所定の大きさの多数の貫通穴が設けられた面材がフレーク状破砕片を収納することのできる収納空間を囲い、水流発生装置が前記処理槽に貯留した洗浄液に水流を発生させ、前記収納空間に収納されたフレーク状破砕片を前記処理槽に貯留した洗浄液に浸すことをできるので、容器にフレーク状破砕片を入ると、フレーク状破砕片が洗浄液の水流に当って、フレーク状破砕片に付着した付着物が面材に設けられた多数の貫通穴から排出されて、フレーク状破砕片を洗浄して効率良く粉分を除去できる。
【００１３】
上記目的を達成するため、本発明に係るプラスチックス製の品物を製造する品物製造方法を、プラスチックス製の品物をフレーク状破砕片に破砕する破砕工程と、前記フレーク状破砕片を洗浄液で洗浄して混ざっている粉分を除去する洗浄工程と、前記粉分を除去した前記フレーク状破砕片を射出成型機に投入して品物を成型する射出成型工程と、
を備える、ものとした。
【００１４】
上記本発明の構成により、プラスチックス製の品物をフレーク状破砕片に破砕し、前記フレーク状破砕片を洗浄液で洗浄して混ざっている粉分を除去し、前記粉分を除去した前記フレーク状破砕片を射出成型機に投入して品物を成型するので、フレーク状破砕片が目詰まりを起こすことなくスムースに射出成型でき、さらにフレーク状破砕片に余分な熱履歴を与えるがないので、品質のよいプラスチックス製の品物を製造できる。
【００１５】
さらに、本発明の実施形態に係る品物製造方法は、前記洗浄工程において、洗浄液を貯留可能な処理槽とフレーク状破砕片を収納することのできる収納空間を囲い所定の大きさの多数の貫通穴が設けられた面材を持つ容器とを用意し、前記収納空間に入れたフレーク状破砕片を前記処理槽に貯留した洗浄液に浸し、前記処理槽に貯留した洗浄液に水流を発生させ、前記容器にフレーク状破砕片を投入する。
上記本発明の構成により、処理槽が洗浄液を貯留可能であり、所定の大きさの多数の貫通穴が設けられた面材がフレーク状破砕片を入れることのできる収納空間を囲い、前記処理槽に貯留した洗浄液に水流を発生させ、前記容器に入れたフレーク状破砕片を前記処理槽に貯留した洗浄液に浸すので、容器にフレーク状破砕片を入れると、フレーク状破砕片が洗浄液の水流に当って、フレーク状破砕片に付着した付着物が面材に設けられた多数の貫通穴から排出されて、フレーク状破砕片を洗浄して粉分を効率良く除去でき、後工程の射出成型工程をスムースに実施できる。
【００１６】
さらに、本発明の実施形態に係る品物製造方法は、プラスチックスがポリエチレンテレフタレート樹脂であって、フレーク状破砕片の最大寸法が４ｍｍ乃至１０ｍｍであって、
前記所定の大きさの最大寸法が１ｍｍ乃至３ｍｍである。
上記本発明の構成により、プラスチックスがポリエチレンテレフタレート樹脂であって、フレーク状破砕片の最大寸法が４ｍｍ乃至１０ｍｍであって、前記所定の大きさの最大寸法が１ｍｍ乃至３ｍｍであるので、１ｍｍ乃至３ｍｍ以下の粉分を除去した最大寸法が４ｍｍ乃至１０ｍｍのポリエチレンテレフタレート樹脂のフレーク状破砕片を準備できるので、ポリエチレンテレフタレート樹脂のペレット用の射出成型機を用いて、目詰まりを起こすことなく、良質のプラスチックス製の品物を製造できる。
【発明の効果】
【００１７】
以上説明したように本発明に係るプラスチックス製のフレーク状破砕片を洗浄する洗浄装置は、その構成により、以下の効果を有する。
フレーク状破砕片を入れることのできる収納空間を囲う面材を用意し、面材に所定の大きさの多数の貫通穴が設け、フレーク状破砕片を洗浄液に浸し、貯留した洗浄液に水流を発生させるので、容器にフレーク状破砕片を入れると、フレーク状破砕片が洗浄液の水流に当って揺すられ、フレーク状破砕片に付着した付着物が面材に設けられた多数の貫通穴から排出されて、フレーク状破砕片を洗浄することができる。
また、前記収納空間の底部を形成する底板と側部を形成する側板とが多数の貫通穴を設けられるで、洗浄液が、水流に沿って、床板または側板の貫通穴を通って収納空間に入り、底板または側板の貫通穴を通って収納空間からでて、付着物をフレーク状破砕片から剥がして、付着物を収納空間から排出できる。
また、所定の大きさの網目をもった網地で下から囲われた収納空間にフレーク状破砕片を入れるので、洗浄液が、水流に沿って、網目を通って収納空間に入り、網目を通って収納空間からでて、網地でできた収納袋を揺すって付着物をフレーク状破砕片から容易に剥がして、付着物を収納空間から排出できる。
また、処理槽に貯留した洗浄液に気泡を噴出するので、気泡の浮上により水流を発生させ、付着物をフレーク状破砕片から容易に剥がすことができる。
【００１８】
以上説明したように本発明に係るプラスチックス製の品物を粉砕処理する処理装置は、その構成により、以下の効果を有する。
投入口にプラスチックス製の品物を投入すると、前記品物をフレーク状破砕片に破砕し、排出口から該フレーク状破砕片を排出できる様にして、前記排出口から排出するフレーク状破砕片が前記洗浄装置に投入される様にするので、投入口にプラスチックス製の品物を投入すると、品物が破砕されてフレーク状破砕片になり、フレーク状破砕片が排出口から洗浄装置に入り、洗浄装置で洗浄されて粉分を除去できる。
また、フレーク状破砕片を収納することのできる収納空間を囲う面材を用意し、面材に所定の大きさの多数の貫通穴を設け、フレーク状破砕片を洗浄液に浸し、貯留した洗浄液に水流を発生させるので、容器にフレーク状破砕片を入ると、フレーク状破砕片が洗浄液の水流に当って、フレーク状破砕片に付着した付着物が面材に設けられた多数の貫通穴から排出されて、フレーク状破砕片を洗浄して効率良く粉分を除去できる。
【００１９】
以上説明したように本発明に係るプラスチックス製の品物を製造する品物製造方法は、その構成により、以下の効果を有する。
プラスチックス製の品物をフレーク状破砕片に破砕し、前記フレーク状破砕片を洗浄液で洗浄して混ざっている粉分を除去し、前記粉分の混じっていない前記フレーク状破砕片を射出成型機に投入して品物を成型するので、フレーク状破砕片が目詰まりを起こすことなくスムースに射出成型でき、さらにフレーク状破砕片に余分な熱履歴を与えるがないので、品質のよいプラスチックス製の品物を製造できる。
また、フレーク状破砕片を入れることのできる収納空間を囲う面材を用意し、面材に所定の大きさの多数の貫通穴が設け、フレーク状破砕片を洗浄液に浸し、貯留した洗浄液に水流を発生させるので、収納空間にフレーク状破砕片を入れると、フレーク状破砕片が洗浄液の水流に当って、フレーク状破砕片に付着した付着物が面材に設けられた多数の貫通穴から排出されて、フレーク状破砕片を洗浄して粉分を効率良く除去でき、後工程の射出成型工程をスムースに実施できる。
また、プラスチックスがポリエチレンテレフタレート樹脂であって、フレーク状破砕片の最大寸法が４ｍｍ乃至１０ｍｍであって、前記所定の大きさの最大寸法が１ｍｍ乃至３ｍｍであるので、１ｍｍ乃至３ｍｍ以下の粉分を除去した最大寸法が４ｍｍ乃至１０ｍｍのポリエチレンテレフタレート樹脂のフレーク状破砕片を準備できるので、ポリエチレンテレフタレート樹脂のペレット用の射出成型機を用いて、目詰まりを起こすことなく、プラスチックス製の品物を製造できる。
従って、簡易な構成で、容易にプラスチックス製の品物を粉砕し洗浄して、再度プラスチックス製の品物を製造することをできるプラスチックスの洗浄装置と処理装置と品物製造方法を提供できる。
【発明を実施するための最良の形態】
【００２０】
以下、本発明を実施するための最良の形態を、図面を参照して説明する。なお、各図において、共通する部分には同一の符号を付し、重複した説明を省略する。
【００２１】
最初に、本発明の実施形態に係るプラスチックス製の品物を粉砕処理する処理装置１を、図を基に、説明する。
図１は、本発明の実施形態に係る処理装置の斜視図である。図２は、本発明の第一の形式の容器の斜視図である。図３は、本発明の第二の形式の容器の斜視図である。
【００２２】
処理装置１は、プラスチックス製の品物を粉砕処理する装置であって、粉砕装置１０とふるい装置２０と洗浄装置３０とで構成される。
粉砕装置１０は、プラスチックス製の品物を粉砕する装置であって、投入口１１と破砕機構１２と排出口１３と破砕機ケーシング１４とで構成される。
投入口１１は、プラスチックス製の品物を投入する口である。
破砕機構１２は、品物をフレーク状破砕片に破砕する機構である。破砕機構１２は、品物を最大寸法がＮｍｍであるフレーク状破砕片に細断するのが好ましい。例えば、フレーク状破砕片は、対角寸法がＮｍｍである多角形の形状を有するのが好ましい。多角形は、４角形、菱形、長方形等である。
例えば、品物がポリエチレンテレフタレート樹脂である場合に、破砕機構１２は、品物を最大寸法が４ｍｍ乃至１０ｍｍであるフレーク状破砕片に破砕する。
排出口１３は、フレーク状破砕片を排出する口であり、排出口から排出するフレーク状破砕片が前記洗浄装置に入るのが好ましい。
破砕機ケーシング１４は、破砕機構１２を覆い、投入口１１と排出口１３を形成する構造体である。
【００２３】
ふるい装置２０は、フレーク状破砕片に混ざった粉分を濾す装置であり、メッシュコンベヤ２１と案内板２２と粉分容器２３とで構成される。
メッシュコンベヤ２１は、メッシュベルトを１対のローラに架け渡された機構である。
メッシュベルトの網目の最大寸法は、上述したＮｍｍより小さい。
例えば、プラスチックスがポリエチレンテレフタレート樹脂である場合、メッシュベルトの網目の最大寸法が１ｍｍ乃至３ｍｍであるのが好ましい。
案内板２２が、メッシュコンベヤ２１の下方に位置する。
粉分容器２３は、粉分の容器であり、案内板２２の下方に位置する。
フレーク状破砕片は、破砕装置１０の排出口１３から排出されて、メッシュコンベヤ２１の上に落ちる。フレーク状破砕片に混じる粉分の一部は、メッシュベルトの網目を通過して下方に落ちて、案内板２２の上に落ちる。
粉分は、案内板２２の上を滑り落ちて、粉分容器２３に溜まる。
フレーク状破砕片は、メッシュコンベヤ２１に運ばれて、後述する洗浄装置３０に納まった容器５０の収納空間Ｈに入る。
【００２４】
洗浄装置３０は、プラスチックス製のフレーク状破砕片を洗浄する装置であって、処理槽４０と容器５０と水流発生装置６０とで構成され、容器５０に入れたフレーク状破砕片を処理槽４０に貯留した洗浄液に浸すことをできる装置である。
【００２５】
処理槽４０は、洗浄液または水を貯留可能な槽であり、洗浄槽４１と水洗槽４２とで構成される。
洗浄液が、洗浄槽４１に貯留される。洗浄液は、洗剤を含む温水であるのが好ましい。
水が、水洗槽４２に貯留される。
洗浄槽４１は、一方の方向に長い槽であり、複数の容器５０を直列に並んで納めることができる長さを持つ。
【００２６】
容器５０は、面材と枠体とを有する。
面材は、フレーク状破砕片を入れることのできる収納空間Ｈを囲う所定の大きさの多数の貫通穴が設けられたものである。貫通穴の最大寸法は、上述したＮｍｍより小さい。貫通穴は、板材を打ち抜いた穴、網目等である。
枠体は、面材を支持するものである。
【００２７】
例えば、一個の容器５０を洗浄槽４１の長手方向の一方の位置に納め、長手方向に移動して、容器５０を洗浄槽４１の長手方向の他方の位置から持ち上げることができる。容器５０が長手方向の一方の位置と他方の位置の間に位置する際に、フレーク穣破砕片が、ふるい装置２２に運ばれて、容器５０の収納空間Ｈの中に入ることができる。
【００２８】
以下に、２つの形式の容器５０を説明する。  
第一の形式の容器５０は、枠体５１と面材とで構成される。
図２は、第一の形式の容器５０の一例を示す。理解の容易のために、図中の面材の一部を切り欠いている。
枠体５１は、６面体の縁に沿って枠が設けられたものである。把手が、枠体５１の上部に設けられる。
面材は、底板５２と４面の側板５３とで構成される。
底板５２は、所定の大きさの多数の貫通穴が設けられた板材であり、枠体５１の底部にはめられる。底板５２は、収納空間Ｈの底部を形成する。
４つの側板５３は、所定の大きさの多数の貫通穴が設けられた板材であり、枠体５１の側部にはめられる。側板５３は、収納空間Ｈの側部を形成する。
底板５２と４つの側板５３とは、収納空間Ｈを囲う。
フレーク状破砕片は、上方から投入され、収納空間Ｈに入る。
【００２９】
第二の形式の容器５０は、枠体５１と面材とで構成される。
図３は、第二の形式の容器５０の一例を示す。
枠体５１は、６面体の縁に沿って枠が設けられたものである。把手が、枠体５１の上部に設けられる。
面材は、収納空間Ｈを下から囲い所定の大きさの網目をもった網地５４でできたものである。
網地は袋状の形状を持つ。網地５４の袋状の上部開口部の縁が、枠体５１の上部の縁に沿った枠に固定される。
網地５４が、収納空間Ｈを下から囲う。
フレーク状破砕片は、上方から投入され、収納空間Ｈに入る。
【００３０】
水流発生装置６０は、処理槽４０に貯留した洗浄液に水流を発生させる装置である。
例えば、水流発生装置６０は、気泡噴出機構を有する。
気泡噴出機構は、処理槽に貯留した洗浄液に気泡を噴出する機能であり、エアーポンプ６１と洗浄槽用パイプ６２とエアーホース６３と水洗槽用ハイプ６４とエアーホース６５とで構成される。
エアーポンプ６１は、圧縮空気を発生させるポンプである。
洗浄槽用パイプ６２は、洗浄槽４１の底に配置されたパイプである。ノズルまたは穴が、洗浄槽用パイプ６２の長手方向に沿って所定の間隔で設けられる。
エアーホース６３は、エアーポンプ６１の吐出口と洗浄槽用パイプ６２を連通する配管である。
水洗槽用パイプ６４は、水洗槽４２の底に配置されたパイプである。ノズルまたは穴が、水洗槽用パイプ６４の長手方向に沿って所定の間隔で設けられる。
エアーホース６５は、エアーポンプ６１の吐出口と水洗槽用パイプ６４を連通する配管である。
エアーポンプ６１を作動させると、洗浄槽用パイプ６２のノズルまたは孔、及び水洗槽用パイプ６４のノズルまたは孔から、気泡が噴出する。
【００３１】
以下に、本発明の実施形態に係る処理装置の作用を説明する。
図４は、本発明の実施形態に係る処理装置の作用説明図である。
第二の形式の容器を用いる場合を例に、説明する。
プラスチックス製の品物がペットボトルである場合を例に説明する。ペットボトルは、キャップを除去し、側面をきられて板状になっている。
品物が、投入口１１に投げ込まれる。
破砕機構１２が、品物を破砕してフレーク状破砕片にする。
プラスチックスがポリエチレンテレフタレート樹脂である場合、フレーク状破砕片の最大寸法が４ｍｍ乃至１０ｍｍであるのが好ましい。
フレーク状破砕片が、排出口１３から落下して、メッシュコンベヤ２１のメッシュベルトに乗る。
粉分の一部は、メッシュベルトのメッシュを通過して、案内板２２に案内されて、粉分容器２３に溜まる。
メッシュコンベヤ２１が駆動すると、フレーク状破砕片がメッシュベルトから処理槽４０に入った容器５０の収納空間Ｈに入り溜まる。
【００３２】
エアーポンプ６１が、エアーを吐出する。エアーが、エアーホース６３、６５を案内されて、洗浄槽用パイプ６２と水洗槽用パイプ６４とに送られる。
エアーが、洗浄槽用パイプ６２のノズルまたは穴から洗浄槽４１に貯留する洗浄液に吐出する。エアーが、洗浄液の中を上昇し、水流が洗浄液に発生する。水流により、フレーク状破砕片に混じる粉分が分離する。液中であるので、静電気がフレーク状破砕片と粉分に発生せず、粉分がフレーク状破砕片から効率良く分離する。
また、フレーク状破砕片に付着する液体、油分等の付着物が洗浄液に溶け出し、フレーク状破砕片が洗浄される。
【００３３】
容器５０を水洗槽４２に移す。
エアーが、水洗槽用パイプ６４のノズルまたは穴から水洗槽４２に貯留する水に吐出する。エアーが、水の中を上昇し、水流が水に発生する。水流により、付着物がフレーク状破砕片から分離すると共に、フレーク状破砕片に混じる粉分が分離する。水中であるので、静電気がフレーク状破砕片と粉分に発生せず、粉分がフレーク状破砕片から効率良く分離する。
フレーク状破砕片に付着する洗浄液が洗い落とされる。
【００３４】
容器５０を水洗槽４２から上げる。
水が、容器５０から流れ落ちる。
したがって、粉分のほとんど混ざらないフレーク状破砕片が、容器５０に残る。
【００３５】
次に、本発明の実施形態に係る品物製造方法を、図を基に、説明する。
図５は、本発明の実施形態に係る品物製造方法のフローチャート図である。図６は、本発明の実施形態に係る品物製造装置の概念図である。
図６において、矢印をもった太い実線がフレーク状破砕片の流れを示し、矢印をもった実線が乾燥温風の流れを示す。
品物製造方法Ｓ１０は、プラスチックス製の品物を製造する方法であって、前処理工程Ｓ１１と切断工程Ｓ１２と選別工程Ｓ１３と粉砕工程Ｓ１４と洗浄工程Ｓ１５と乾燥工程Ｓ１６と成型工程Ｓ１７とで構成される。
【００３６】
前処理工程Ｓ１１は、例えば、使用済ペットボトルからキャップを取り除き、ペットボトルの上面のラベルを剥がす工程である。
【００３７】
切断工程Ｓ１２は、切断機等によって。ペットボトル本体の口部の切断をし、本体部分を切断して切り開く工程である。また、小さなペットボトルの場合、プレス機等にとって、切断を行なってもよい。
【００３８】
選別工程Ｓ１３は、選別手段によって、切断された口部を取り除いて、切断されたペットボトルの本体部を集める工程である。
【００３９】
破砕工程Ｓ１４は、プラスチックス製の品物をフレーク状破砕片に破砕する工程である。例えば、上述の破砕装置１０を用いて、ペットボトルの本体部を細かく独立したフレーク状破砕片に破砕する。
プラスチックスがポリエチレンテレフタレート樹脂である場合、フレーク状破砕片の最大寸法が４ｍｍ乃至１０ｍｍであるのが好ましい。特に、フレーク状破砕片が略５ｍｍ角の片であるのが好ましい。
【００４０】
洗浄工程Ｓ１５は、フレーク状破砕片を洗浄液で洗浄して混ざっている粉分を除去する工程である。
例えば、前述した洗浄装置３０を用いて、フレーク状破砕片を洗浄し、付着物と粉分を除去する。
さらに、脱水装置９０を用いて、フレーク状破砕片を脱水する。洗浄工程Ｓ１５で温水を用いると、脱水されたフレーク状破砕片は、余熱により自然乾燥する。
【００４１】
乾燥工程Ｓ１６は、フレーク状破砕片を乾燥する工程である。
例えば、２００℃程度の乾燥温風にフレーク状破砕片を晒して、フレーク状破砕片を乾燥する。
【００４２】
成型工程Ｓ１７は、乾燥したフレーク状破砕片を加熱して射出成型機により品物を成型する。品物は、例えば、プラスチック製ハンガーである。
この様にすると、ペレットの射出成型用に設計、製造された射出成型機を改造なしに用いることが出来る。
仮に、洗浄工程を省くと、フレーク状破砕片に粉分が多く混入するので、射出成型機が目詰まりしたり、成型した品物に炭化した粉分が混じったり、成型した品物が褐色化する。
【００４３】
品物製造方法Ｓ１０で製造された品物は、提供者Ｓ２０へ供給される。
提供者Ｓ２０は、使用者Ｓ３０に提供される。品物は、使用者Ｓ２０に使用された後、回収される。
【００４４】
以下に、本発明の実施形態に係る品物製造方法を実施するための品物製造装置を説明する。
品物製造装置は、プラスチックス製の品物を製造する装置であって。破砕装置１０と瀬洗浄装置３０と乾燥装置７０と射出成型機８０と脱水装置９０とで構成される。
破砕装置１０と洗浄装置３０との構造は、上述した処理装置のものの構造と同じなので、説明を省略する。
【００４５】
脱水装置９０は、洗浄装置３０で洗浄され水分の付着しているフレーク状破砕片を脱水する装置である。
例えば、脱水装置９０は、遠心脱水機構を持つ。脱水されたフレーク状破砕片は、余熱により、自然乾燥する。
【００４６】
乾燥装置７０は、フレーク状破砕片を乾燥する装置であって、乾燥ホッパ７１と乾燥ヒータ７２と輸送フィルタ７３と輸送ポンプ７４と乾燥ライン（図示せず）とで構成される。
フレーク状破砕片は、洗浄装置３０で洗浄された後、乾燥ホッパ７１に入る。
フレーク状破砕片は、乾燥ホッパー７１内で、図示しない乾燥ラインを通過して供給される乾燥温風により乾燥される。
乾燥が完了すると、乾燥温風が、輸送ポンプ７４により、乾燥ホッパ７１、成型機ホッパー８１、輸送フィルタ７３、輸送ポンプ７４、乾燥ヒータ７２の順に循環する。
フレーク状破砕片は、乾燥ホッパ７１から成型機ホッパー８１へ送られる。
乾燥温風に混ざる粉分は、輸送フィルタ７３で除去される。
【００４７】
射出成型機８０は、フレーク状破砕片から射出成型方法により品物を成型する機械であり、成型機ホッパー８１と射出装置８２とシリンダー８３とバンドヒータ８４とノズル８５と型締め装置８６とタイバー８７と可動側金型８８と固定型金型８９とで構成される。
フレーク状破砕片は、成型機ホッパー８１に溜まり、バンドヒータ８４に加熱されたシリンダー８３を通って溶融する。型締め装置８６がタイバー８７に案内されて可動側金型８８と固定型金型８９とを合体する。溶融したプラスチックスがノズル８５から金型に射出され、品物に成型される。
【００４８】
上述の実施形態の処理装置と品物製造方法を用いれば、以下の効果を発揮する。
洗浄装置を用いてフレーク状破砕片を洗浄液で洗浄して混ざっている粉分を除去するので、洗浄液の中に静電気が発生せず、フレーク状破砕片と粉分を効率良く除去できる。
また、この粉分の混ざる量のすくないフレーク状破砕片を原料として、射出成型機で品物を成型するので、射出成型機が目詰まりすることなく、また炭化したフレーク状破砕片の混ざることも強く褐色化することもない品物を成型できる。
また、回収された品物から製造されたフレーク状破砕片を直接に射出成型するので、再度押出しによりペレットを作成した後、ペレットを射出成型する場合に較べて、熱履歴が少なくなり良質の品物を成型できる。
また、洗浄液を貯留する処理槽を用意し、面材で囲われた収納空間を内部にもつ容器を用意し、収納空間に入れたフレーク状破砕片を洗浄液に浸すことをできる様にしたので、洗浄液の中に静電気が発生せず、フレーク状破砕片と粉分を効率良く除去でき、容器をハンドリングして、フレーク状破砕片を移動させることができる。
また、処理槽に貯留した洗浄液に水流を発生させる水流発生装置を用意したので、フレーク状破砕片と粉分を効率良く除去できる。
また、水流発生装置を気泡噴射装置で実現したので、噴射した気泡が洗浄液中のフレーク状破砕片に当たり、粉分がフレーク状破砕片から除去できる。
容器を、枠体と枠体の枠に嵌まった底板と底板とで構成し、所定の大きさの多数の貫通穴を底板と側板に設けたので、粉分が貫通穴から外部へ出る。
容器を、枠体と網地とで構成し、網地が所定の大きさの網目をもっているので、粉分が網目から外部へ出る。また、水流発生装置の発生した水流が網地を揺するので、効率よく粉分を除去できる。
したがって、粉分の混入の少ないフレーク状破砕片を得ることが出来、ペレット用の射出成型機を用いて、品物を射出成型できる。
仮に、洗浄装置を用いないと、粉砕したままの粉分の混入の多いフレーク状破砕片を射出成型機に供給することとなり、輸送フィルタが目詰まりしたり、成型機ホッパー内でフレーク状破砕片がブリッジをつくたり、品物に炭化した粉分が混入したり、成型した品物が褐色化したりする。
【００４９】
本発明は以上に述べた実施形態に限られるものではなく、発明の要旨を逸脱しない範囲で各種の変更が可能である。
ふるい装置が破砕装置と洗浄装置との間に設けられた例で説明したが、これに限定されず、例えば、ふるい装置を省略してもよい。
【図面の簡単な説明】
【００５０】
【図１】本発明の実施形態に係る処理装置の斜視図である。
【図２】本発明の第一の形式の容器の斜視図である。
【図３】本発明の第二の形式の容器の斜視図である。
【図４】本発明の実施形態に係る処理装置の作用説明図である。
【図５】本発明の実施形態に係る品物製造方法のフローチャート図である。
【図６】本発明の実施形態に係る品物製造装置の概念図である。
【符号の説明】
【００５１】
Ｈ    収納空間
Ｓ１０    品物製造方法
Ｓ１１    前処理工程
Ｓ１２    切断工程
Ｓ１３    選別工程
Ｓ１４    粉砕工程
Ｓ１５    洗浄工程
Ｓ１６    乾燥工程
Ｓ１７    成型工程
Ｓ２０    提供者
Ｓ３０    使用者
１    処理装置
１０    破砕装置
１１    投入口
１２    破砕機構
１３    排出口
１４    破砕機ケーシング
２０    ふるい装置
２１    メッシュコンベヤ
２２    案内板
２３    粉分容器
３０    洗浄装置
４０    処理槽
４１    洗浄槽
４２    水洗槽
５０    容器
５１    枠体
５２    底板
５３    側板
５４    網地
６０    水流発生装置
６１    エアーポンプ
６２    洗浄槽用パイプ
６３    エアーホース
６４    水洗槽用パイプ
６５    エアーホース
７０    乾燥装置
７１    乾燥ホッパ
７２    乾燥ヒータ
７３    輸送フィルタ
７４    輸送ポンプ
８０    射出成型機
８１    成型機ホッパー
８２    射出装置
８３    シリンダー
８４    バンドヒータ
８５    ノズル
８６    型締め装置
８７    タイバー
８８    可動側金型
８９    固定側金型
【図１】
2006015585.tif 000003
【図２】
2006015585.tif 000004
【図３】
2006015585.tif 000005
【図４】
2006015585.tif 000006
【図５】
2006015585.tif 000007
【図６】
2006015585.tif 000008